(57)【特許請求の範囲】
【請求項１】
メモリに記憶されている時間情報を含むファイルの、当該時間情報を取得する取得手段と；
上記メモリに複数のファイルが記憶されている場合に、上記取得手段により上記メモリから取得された時間情報を解析することにより、当該複数のファイルのうちの最新の時間情報を含むファイルを決定する決定手段と；
データ作成装置によりデータが新たに作成されたときに、当該作成されたデータを入力する入力手段と；
上記決定手段により決定されたファイルから上記取得手段により取得された最新の第１の時間情報以降の時間に対応する第２の時間情報を上記入力手段により入力されたデータに対応する時間情報として含み、且つ当該入力されたデータを含むファイルをメモリ上に生成する生成手段と；
を有することを特徴とするデータ処理装置。
【請求項２】
請求項１において、
上記取得手段は、上記データ処理装置にメモリが接続されているときに、当該メモリに記憶されている上記決定手段により決定されたファイルから時間情報を抽出し、抽出された当該時間情報を当該メモリとは異なる記憶手段に記憶させ、
上記生成手段は、上記記憶手段に記憶されている上記第１の時間情報に基づく第２の時間情報を新たに含むファイルを生成することを特徴とするデータ処理装置。
【請求項３】
請求項２において、
上記データ処理装置にメモリが接続されているときに、上記取得手段により当該メモリに記憶されているファイルから新たに取得された上記第１の時間情報が、当該メモリとは異なる上記記憶手段に記憶されている時間情報よりも新しいか判定する判定手段を有し、
上記取得手段は、上記判定手段により上記メモリから新たに取得された上記第１の時間情報が、上記記憶手段に記憶されている時間情報よりも新しいと判定された場合に、当該第１の時間情報を上記記憶手段に新たに記憶させることを特徴とするデータ処理装置。
【請求項４】
請求項１から３のいずれか１項において、
上記生成手段は、上記第１の時間情報に対応する上記第２の時間情報を含むファイルを生成するときに、上記取得手段により当該第１の時間情報が取得されたファイルが記憶されているメモリ上に、ファイルを生成することを特徴とするデータ処理装置。
【請求項５】
請求項１から４のいずれか１項において、
上記第１の時間情報と上記第２の時間情報とに基づき、当該第１の時間情報を含む第１のファイルと当該第２の時間情報を含む第２のファイルとを区別して、当該第１のファイルと、当該第２のファイルとに所定の処理を実行する処理手段を有することを特徴とするデータ処理装置。
【請求項６】
請求項５において、
上記取得手段は、上記メモリに記憶されているファイルにおける所定の記憶領域に記憶されている時間情報を、上記第１の時間情報として取得し、
上記生成手段は、上記第２の時間情報を含むファイルを生成するときに、当該ファイルにおける上記所定の記憶領域とは異なる記憶領域であって、上記処理手段が上記第１の時間情報と上記第２の時間情報とを区別可能な記憶領域に上記第２の時間情報を含むファイルを生成することを特徴とするデータ処理装置。
【請求項７】
請求項５または６において、
上記処理手段は、上記第１のファイルに基づく画像と、上記第２のファイルに基づく画像とを区別して、印刷装置に印刷させることを特徴とするデータ処理装置。
【請求項８】
請求項７において、
上記処理手段は、上記第１のファイルに含まれる上記第１の時間情報が印刷されて、上記第２のファイルに含まれる上記第２の時間情報は印刷されないように、当該第１のファイルに基づく画像と、当該第２のファイルに基づく画像を印刷させることを特徴とするデータ処理装置。
【請求項９】
請求項１から８のいずれか１項において、
上記生成手段は、上記取得手段により取得された上記第１の時間情報と当該第１の時間情報以降のファイルを識別するための識別情報とを含む第２の時間情報を、上記データが作成された上記作成時間に対応する時間情報として含むファイルを生成することを特徴とするデータ処理装置。
【請求項１０】
メモリに記憶されている時間情報を含むファイルの、当該時間情報を取得する取得工程と；
上記メモリに複数のファイルが記憶されている場合に、上記取得工程により上記メモリから取得された時間情報を解析することにより、当該複数のファイルのうちの最新の時間情報を含むファイルを決定する決定工程と；
データ作成装置によりデータが新たに作成されたときに、当該作成されたデータを入力する入力工程と；
上記決定工程により決定されたファイルから上記取得工程により取得された最新の第１の時間情報以降の時間に対応する第２の時間情報を上記入力工程において入力されたデータに対応する時間情報として含み、且つ当該入力されたデータを含むファイルをメモリ上に生成する生成工程と；
を有することを特徴とするデータ処理方法。
【発明の詳細な説明】
【技術分野】
【０００１】
本発明は、ファイルを生成するデータ処理装置およびデータ処理方法に関する。
【背景技術】
【０００２】
従来、スキャナ、プリンタ、メモリカードスロット等を有する複合画像処理装置として、マルチファンクションプリンタ（ＭＦＰ）がある。
【０００３】
ＭＦＰは、スキャンした画像をＰＣに送信するスキャン画像送信機能、スキャンした画像を直接印刷するコピー機能、メモリカードスロットに挿入したメモリカードから画像データを読み出して印刷するメモリカード印刷機能等を実現することができる。
【０００４】
また、従来のＭＦＰのなかには、スキャナで読み取った画像データを、メモリカード等の記憶メディアに直接保存するスキャン画像保存機能を有するものがある。
【０００５】
カレンダー機能、時計機能等の実日時管理機能は、バッテリ機能等を有し、２４時間の時間管理を必要とするので、コストの問題で、実日時管理機能を持たない画像処理装置が多く存在する。
【０００６】
このような実日時管理機能を内蔵しない従来の画像処理装置では、スキャナで読み取った画像を、記憶メディアに保存する際、画像の日時情報が、不定値又は固定値である。
【０００７】
よって、実日時管理機能を持たない該画像処理装置が保存している画像データ群と、実日時管理機能を持つ他の画像処理装置が保存した画像データ群とを、日時順で液晶画面に表示すると、実日時情報が記憶されている画像だけが正しい順で表示される。しかし、実日時情報が記憶されていない画像は、正しい順で表示することができない。
【０００８】
これと同様に、複数の画像を日時順に並べて印刷する場合、良好な日付順で画像を並べて印刷することができない。
【０００９】
このような問題を解消する方法として、実時間管理機能を持たない装置が、ネットワーク接続時に外部装置から日付情報を取得する方法が知られている（たとえば、特許文献１参照）。
【００１０】
また、銀塩フィルムをスキャンして画像データとしてファイルに保存する際、日時が分からない画像があれば、同一銀塩フィルムの他の画像の日時情報を、近似的な日時情報として保存する方法が知られている（たとえば、特許文献２参照）。
【特許文献１】特開２００１−１７５３５４公報
【特許文献２】特開２００１−３３１７８１公報
【発明の開示】
【発明が解決しようとする課題】
【００１１】
しかし、特許文献１記載の発明では、ネットワークに接続する場合、より大きなコストが必要であるという問題がある。
【００１２】
また、特許文献２記載の方法では、物理的に画像が連続して並んでいる銀塩フィルムの場合にしか成立しないという問題がある。
【００１３】
本発明は、実日時管理機能が使えない場合であっても、時間情報を含むファイルを適切に生成することができるデータ処理装置およびデータ処理方法を提供することを目的とする。
【課題を解決するための手段】
【００１４】
本発明のデータ処理装置は、メモリに記憶されている時間情報を含むファイルの、当該時間情報を取得する取得手段と、上記メモリに複数のファイルが記憶されている場合に、上記取得手段により上記メモリから取得された時間情報を解析することにより、当該複数のファイルのうちの最新の時間情報を含むファイルを決定する決定手段と、データ作成装置によりデータが新たに作成されたときに、当該作成されたデータを入力する入力手段と、上記決定手段により決定されたファイルから上記取得手段により取得された最新の第１の時間情報以降の時間に対応する第２の時間情報を上記入力手段により入力されたデータに対応する時間情報として含み、且つ当該入力されたデータを含むファイルをメモリ上に生成する生成手段とを有することを特徴とする。
【発明の効果】
【００１５】
本発明によれば、実日時管理機能が使えない場合であっても、時間情報を含むファイルを適切に生成することができる。
【発明を実施するための最良の形態】
【００１６】
発明を実施するための最良の形態は、次の実施例である。
【実施例１】
【００１７】
図１は、本発明の実施例１である画像処理装置１０の外形を示す図である。
【００１８】
画像処理装置１０は、液晶モニタ１１と、操作パネル１２と、原稿台のカバー１３と、給紙トレイ１５と、排紙トレイ１６と、メモリカードコネクタ１７とを有する。
【００１９】
液晶モニタ１１は、装置の状態や、原稿台１８から読み出した画像やメモリカード１９から読み出した画像を表示する。操作パネル１２は、押しボタンを有し、装置の制御をユーザが行う。原稿台のカバー１３は、原稿Ｄ１から画像情報を読み出す原稿台のカバーである。
【００２０】
用紙１４は、印刷を行う用紙である。給紙トレイ１５は、印刷する用紙１４を挿入するための給紙トレイである。排紙トレイ１６は、印刷後の用紙１４を排出する排紙トレイである。メモリカードコネクタ１７は、ＳＤカードやメモリスティック等のメモリカード１９を挿入し、そのデータの読み書きを行うためのメモリカードコネクタである。原稿Ｄ１は、原稿台から読み取られる原稿である。
【００２１】
図２は、実施例１の機能ブロックを示す図である。
【００２２】
画像処理装置１０は、装置全体を制御する制御部２１と、操作部２２と、印刷部２３と、スキャナ部２４と、メモリカードアクセス部２５とを有する。
【００２３】
制御部２１は、画像処理装置１０の全体を制御するものであり、不揮発性データ保持部２８を有する。不揮発性データ保持部２８は、最新日時情報（後記）とシリアル番号（後記）とを保持する。
【００２４】
操作部２２は、液晶モニタ１１と、操作パネル１２とを有し、液晶モニタ１１によって装置の状態を通知し、操作パネル１２によって、ユーザからの指示を受け取る。
【００２５】
印刷部２３は、給紙トレイ１５にセットした用紙を印刷機構２６によって印刷し、印刷後の用紙を排紙トレイ１６に排出する一連の印刷動作を行う。
【００２６】
スキャナ部２４は、原稿台１８に置いた原稿に対して、スキャン機構２７によって光学的に画像データを読み出す。
【００２７】
メモリカードアクセス部２５は、メモリカードコネクタ１７に挿入したメモリカード１９に画像データを保存し、逆に、メモリカード１９に保存されている画像データを読み出す。
【００２８】
画像処理装置１０では、これらの部位を組み合わせて、操作部２２からのユーザの操作に応じて、以下の４つの機能を実現する。
（１）スキャナ部２４から読み出した画像データを、印刷部２３から印刷を行う“コピー機能”。
（２）メモリカードアクセス部２５によって、メモリカード１９から読み出した画像データを印刷部２３から印刷する“メモリカード画像印刷”。
（３）スキャナ部から読み出した画像データを、メモリカードアクセス部２５によってメモリカード１９に保存する“スキャン画像保存機能”。
（４）装置全体の設定を行う“装置設定機能”。
【００２９】
なお、画像処理装置１０では、カレンダー機能、時計機能等、実時間を管理する機能を、内蔵していないが、内蔵するようにしてもよい。
【００３０】
つまり、実施例１は、記憶メディアへのデータの読み書き込みが可能な記憶メディア読み書き部と、最新日付情報を保持する最新日時情報保持部とを具備するデータ処理装置の例である。また、制御部２１は、日時情報を含む第１のデータ形式で上記記憶メディアに記憶されているデータ群から、第１の日時情報を読み出す手段の例である。
【００３１】
不揮発性データ保持部２８は、読み出した第１の日時情報のなかで最も新しい日時を、最新日時情報として上記最新日時情報保持部に記憶する手段の例である。
【００３２】
制御部２１は、画像データを上記記憶メディアに書き込む際に、上記最新日時情報保持部に保持している最新日時情報に基づいて作成した第２の日時情報を、画像データに付加する第２の日時情報付加手段の例である。
【００３３】
なお、スキャナ部２４は、光学的に画像を読み取る画像スキャン部の例である。そして、上記画像スキャン部が読み取った画像に基づく画像データを上記記憶メディアに保存する際に、上記第２の日時情報を画像に付加する。
【００３４】
液晶モニタ１１は、上記記憶メディアから読み出した画像データを、視覚的に表示可能な画像表示手段の例である。上記記憶メディアの画像データを読み出し、上記画像表示手段で表示する際に、各画像データについて、第１の日時情報又は上記第２の日時情報を読み出し、この読み出した情報に基づいて、画像の表示順、表示画面に対する表示領域の少なくとも一方を決定する。
【００３５】
また、各画像データについて、上記第１の日時情報が有効であれば、第１の日時情報を読み出す。有効でなければ、上記第２の日時情報を読み出し、上記読み出した値に基づいて、画像の表示順、表示画面に対する表示領域の少なくとも一方を決定する。
【００３６】
上記第１の日時情報を読み出した画像については、日時情報を基にした数値又は文字列を上記画像表示手段で表示し、上記第２の日時情報を読み出した画像については、表示しない。
【００３７】
印刷部２３は、上記記憶メディアから読み出した画像データを、非印刷媒体に印刷する画像印刷手段の例である。上記記憶メディアの画像データを読み出し、画像印刷手段が印刷する際に、各画像データについて、第１の日時情報又は上記第２の日時情報を読み出す。そして、上記読み出した情報に基づいて、画像の印刷順、非印刷媒体に対する印刷領域のうちの少なくとも一方を決定する。
【００３８】
また、各画像データについて、上記第１の日時情報が有効であれば、第１の日時情報を読み出す。上記第１の日時情報が有効でなければ、上記第２の日時情報を読み出し、上記読み出した情報に基づいて、画像の印刷順、非印刷媒体に対する印刷領域の少なくとも一方を決定する。
【００３９】
上記第１の日時情報を読み出した画像について、日時情報に基づく数値又は文字列を、上記画像印刷手段が印刷し、上記第２の日時情報を読み出した画像については印刷しない。
【００４０】
また、不揮発性データ保持部２８は、上記画像データを保存する度に変化する識別情報を保持する識別情報保持手段の例である。上記第２の日時情報は、上記最新日時情報と上記識別情報とに基づいて作成した情報である。
【００４１】
そして、上記最新日時情報及び識別情報は、文字列情報であり、上記第２の日時情報は、上記最新日時情報と上記識別情報とを含む文字列情報である。
【００４２】
上記最新日時情報保持部、識別情報保持手段の少なくとも一方は、不揮発のデータ保持手段である。
【００４３】
また、上記第１のデータ形式は、上記第１の日時情報が記憶される第１の日時情報領域と、上記第２の日時情報が記憶される第２の日時情報領域とが、異なる領域を有する形式である。
【００４４】
上記第１の日時情報は、上記第１のデータ形式で定めた標準的な日時情報領域に記憶される情報である。また、上記第２の日時情報は、上記標準的な日時情報領域以外の領域に記憶される情報である。
【００４５】
上記第１のデータ形式は、ＥＸＩＦ形式又は、ＪＦＩＦ形式に準拠した形式である。
【００４６】
上記記憶メディアは、上記データ処理装置から着脱可能なデータ記憶手段である。
【００４７】
また、上記記憶メディアは、上記データ処理装置が有するデータ保持手段の例であり、外部の装置から有線又は無線方式のデータ通信によってデータの書き込みが可能である。
【００４８】
上記記憶メディアは、上記データ処理装置の外部データ保持手段であり、上記データ処理装置から有線又は無線方式のデータ通信で、データの読み出し及び書き込みが可能であるメディアである。
【００４９】
また、上記手段を工程に変えれば、上記実施例は、データ処理装置の制御方法の発明である。
【００５０】
次に、画像処理装置１０のメニューについて説明する。
【００５１】
図３は、操作部２２の液晶モニタ１１に表示されている画面の例を示す図である。
【００５２】
画像処理装置１０の電源投入時には、液晶モニタ１１に、図３に示すメニュー画面３０が表示され、このメニュー画面３０で、ユーザが対応するアイコンを選択することによって、所望の機能を実現できる。
【００５３】
アイコン３１は、上記“コピー機能”を示すアイコンであり、アイコン３２は、上記“スキャン画像の保存機能”を示すアイコンである。アイコン３３は、上記“メモリカード画像印刷機能”を示すアイコンであり、アイコン３４は、装置全体の設定を行う“装置設定機能”を示すアイコンである。
【００５４】
カーソル３５は、現在選択されているアイコンを示すカーソルである。
【００５５】
ガイド３６は、カーソル３５が当たっているアイコンの説明を表示するガイドである。ユーザは、操作パネル１２を使用して、実行したいアイコンにカーソルを当て、ＯＫキー（不図示）を押すことによって、所望の機能を実行される。
【００５６】
まず、本装置にメモリカード１９が挿入された際の動作について、説明する。
【００５７】
図４は、メモリカードを本装置に挿入した際の動作を示す図である。
【００５８】
メモリカードが挿入（Ｓ１）されると、メモリカード内のファイルを検索（Ｓ２）し、特定のデータ形式に従って、少なくても各ファイルの“日時情報”を含むファイルリストを作成する（Ｓ３）。
【００５９】
本実施例でのデータ形式は、ＦＡＴ３２、ＥＸＩＦ等、標準規格であり、上記“日時情報”は、これらの規格が定めた標準日時領域から読み出した情報である。
【００６０】
次に、作成したファイルリストの日時情報から、最も新しい日時情報を抽出し（Ｓ４）、制御部２１の不揮発性データ保持部２８に保存されている“最新日時情報”と比較する（Ｓ５）。
【００６１】
このときに、現在の“最新日時情報”よりも、新しい日時情報がファイルリストの中にあれば（Ｓ６）、その日時情報を“最新日時情報”として、上記不揮発性データ保持部に保持する（Ｓ７）。
【００６２】
また、不揮発性データ保持部２８には、付加日時情報（後記）作成用のシリアル番号も保持し、上記“最新日時情報”を更新したタイミングで、このシリアル番号を０番にクリアする（Ｓ８）。
【００６３】
次に、スキャン画像保存機能における動作について説明する。
【００６４】
図５は、スキャン画像保存機能の動作を示すフローチャートである。
【００６５】
スキャン画像保存機能は、原稿台１８においた写真や書類等の原稿を、スキャン機構２７の光学センサが読み取り、この読み取った画像データを、メモリカードコネクタ１７に挿入したメモリカード１９に保存する機能である。
【００６６】
メニュー画面表示状態で（Ｓ１１）、ユーザが、アイコン３２を選択すると（Ｓ１２）、メモリカードが正しく挿入されているかどうかをチェックし（Ｓ１３）、原稿台１８に置かれている原稿から画像データを読み出す（Ｓ１４）。
【００６７】
原稿データの読み出しを完了（Ｓ１５）した後に、不揮発性データ保持部２８に保持している上記シリアル番号を１つ増加させ（Ｓ１６）、上記“最新日時情報”と上記シリアル番号とを連結させた“付加日時情報”を作成する（Ｓ１７）。
【００６８】
次に、上記“付加日時情報”を付加し、上記原稿から読み出した画像データをメモリカードに保存する（Ｓ１８）。
【００６９】
本実施例の画像処理装置では、ＥＸＩＦ形式で画像を保存する。
【００７０】
しかし、上記“付加日時情報”を、ＥＸＩＦ形式で定める標準日時領域にでなく、メーカが自由な情報を書き込めるメーカノートタグ領域に記憶する。なお、標準日時領域のタグには、日時情報が無いことを示す値を書き込む。
【００７１】
“付加日時情報”を、ここで標準日時領域に書き込まない理由は、“付加日時情報”が、正確な日時情報でないからである。標準日時領域の日時情報は、他の画像処理装置も参照する情報であるので、ここに、疑似的な日時情報である付加日時情報を記憶させない。
【００７２】
図６は、本実施例において、付加日時情報の作成例を示す図である。
【００７３】
この例では、最新日時情報である文字列が、“２００６：０９：０３＿０８：２２：１５”、シリアル番号が文字列“０００１”である場合を示している。この場合に作成される“付加日時情報”は、この２つを“＿”で連結した文字列“２００６：０９：０３＿０８：２２：１５＿０００１”である。
【００７４】
なお、文字列“２００６：０９：０３＿０８：２２：１５＿０００１”は、第２の日時情報の例である。
【００７５】
付加日時情報に、シリアル番号を付加する理由は、最新日時情報が更新されない状態で、複数のスキャン画像を保存しても、同じ”付加日時情報”とならないためである。
【００７６】
図７は、“付加日時情報”の具体的な記入例を示す図である。
【００７７】
図７に示す記入例には、画像を記憶した装置４１と、ＥＸＩＦ形式の標準日時情報領域に記憶されている“標準日時情報”４２と、メーカノート領域に記憶されている“付加日時情報”４３が記入されている。
【００７８】
この例では、＃３、＃４、＃６は、本実施である画像処理装置が保存した画像データであり、＃１、＃２、＃５は、実日時管理機能を持つ外部装置（デジタルカメラ）が保存した画像データを示す。
【００７９】
以下に、各画像の具体的な記憶状況を時系列で説明する。
【００８０】
（１）デジタルカメラにメモリカードを挿入し、実際に撮影した日時を、標準日時情報に記憶した＃１画像（“２００６：０９：０１＿０３：１８：１２”）、＃２画像（“２００６：０９：０１＿０３：２０：４５”）を保存する。
【００８１】
（２）メモリカードを、本実施例の画像処理装置に挿入すると、メモリカード内画像の標準日時情報を検索し、最も新しい日時である＃２画像の日時情報“２００６：０９：０１＿０３：２０：４５”が、上記最新日時情報として保持される。
【００８２】
（３）続けて、上記スキャン画像の保存機能によってスキャンした画像データ＃３、＃４をメモリカードに保存する。この際、標準日時情報として、無効な日時（“００００：００：００＿００：００：００”）を記入する。そして、付加日時情報として、最新日時情報にシリアル番号を連結した“２００６：０９：０１＿０３：２０：４５＿０００１”、及び、“２００６：０９：０１＿０３：２０：４５＿０００２”を記憶する。
【００８３】
（４）メモリカードを、デジタルカメラに再び接続し、標準日時情報に、実際に記憶した日時である“２００６：０９：０３＿０８：２２：３８”を記憶した＃５画像を保存する。
【００８４】
（５）メモリカードを、画像処理装置１０に再び挿入すると、メモリカード内の標準日時情報が再検索され、＃５の日時情報“２００６：０９：０３＿０８：２２：３８”が、新たな最新日時情報として保持される。
【００８５】
（６）続けて、上記スキャン画像の保存機能によって、スキャンした画像データ＃６をメモリカードに保存する。この際、標準日時情報領域には、無効な日時（“００００：００：００＿００：００：００”）を記憶し、付加日時情報には、最新日時情報にシリアル番号を連結した“２００６：０９：０３＿０８：２２：３８＿０００１”を記憶する。
【００８６】
上記のように、実時間管理機能を有する外部装置が書き込んだ画像データ＃１、＃２、＃５については、標準日時情報領域４２に、有効な日時情報が書き込まれる。しかし、実時間管理機能を持たない画像処理装置１０が記憶した＃３、＃４、＃６については、標準日時情報領域４２に、日時が記憶されない。
【００８７】
一方、画像処理装置１０で記憶した画像データは、付加日時情報領域４３に、最新日時情報にシリアル番号を付加した、付加日時情報を、別途記憶する。
【００８８】
このように、画像データに、“標準日時情報”とは別の“付加日時情報”を新たに追加し、これを利用して画像データの表示順を良好なものとすることが、実施例１の特徴的な部分である。
【００８９】
図８は、“メモリカード印刷機能”の動作を示すフローチャートであり、上記付加日時情報を読み出し、画像データを良好な順で表示する動作を示すフローチャートである。
【００９０】
まず、メニュー画面３０を表示している状態（Ｓ２１）で、ユーザがアイコン３３を選択する（Ｓ２２）と、メモリカードが正しく挿入されているかどうかをチェック（Ｓ２３）する。そして、有効な画像データが存在していれば、（Ｓ２４）、図９に示す画像選択画面を表示する（Ｓ２５）。
【００９１】
図９は、画像選択画面５０を示す図である。
【００９２】
画像選択画面５０には、メモリカード内の画像内容５１と、現在選択されている画像を示す画像選択カーソル５２と、現在選択されている画像の番号と画像との合計数を示す画像番号５３とが示されている。なお、図９は、６つの画像がメモリカードに保存され、そのなかで、３番目の画像を選択している状態を示す。
【００９３】
キーガイド表示５４は、ユーザに有効なキー操作を教えるキーガイド表示であり、ＯＫキー（不図示）を押すと、カーソル位置の画像が拡大表示（不図示）され、ＰＲＩＮＴキー（不図示）を押すと、インデックス印刷（後記）を行うことができる。
【００９４】
メモリカード内の画像内容５１は、画像表示順設定によって並び順を変化させる。
【００９５】
画像表示順設定は、メニュー画面３０のアイコン３４を選択した設定画面（不図示）で設定する項目の１つであり、画像を日時順で表示するか、ファイル名順で表示するかを設定する。
【００９６】
上記画面表示設定が、“ファイル名順”であれば、画像がファイル名順に並べて表示され（Ｓ２６）、一方、上記画面表示設定が、“記憶日時順”であれば、日時順に画像を並べ、メモリカード内の画像内容５１に表示する（Ｓ２７）。
【００９７】
ここで、実施例１の特徴的な点は、“記憶日時順”で画像を並べる処理であるので、以下に、“記憶日時順”画像を並べる方法について説明する。
【００９８】
まず、画像に有効な“標準日時情報”があれば、その文字列を読み出し、有効な“標準日時情報”がなければ、“付加日時情報”に記憶されている文字列を読み出す。
【００９９】
そして、各画像の文字列を比較することによって、画像の順番を決める。
【０１００】
図１０は、図７に示す６つの画像を、画像処理装置１０で、日時順に並べた状態を示す図である。
【０１０１】
表示例６１は、実際にメモリカードに画像を保存した順であり、表示例６２は、その画像を日時順で並べた結果である。図１０に示すように、“付加日時情報”と、“標準日時情報”との２つの情報に基づいて画像を並べることによって、図１０に示すように、実際の画像保存順と同様な画像を表示することができる。
【０１０２】
“付加日時情報”と、“標準日時情報”との２つの情報に基づいて画像を並べる本方式では、画像の順番を実時間の順に全てに一致させることができない。しかし、上記説明した様に、“標準日時情報”のみによって画像を並べる従来例に比べると、実時間順により近似した順番で画像を表示するこができる。
【０１０３】
上記説明は、画像の表示順であるが、画像印刷時における印刷順についても、画像の表示順と同じように良好に表示することができる。
【０１０４】
画像処理装置１０では、画像選択画面５０を使用して、ＰＲＩＮＴキー（不図示）を押すと、メモリカード内の全ての画像を、用紙上に複数並べて印刷するインデックス印刷を実行することができる。
【０１０５】
図１１は、インデックス印刷の結果を示す図である。
【０１０６】
図１１には、印刷が行われた用紙７１と、印刷された画像７２と、画像の日付情報７３とが示されている。
【０１０７】
実施例１では、“標準日時情報”と“付加日時情報”とに基づいた日時順で並べることによって、印刷においても、良好な画像の並び順を実現することができる。
【０１０８】
また、実施例１では、“標準日時情報”が記憶されている画像のみについて、日時を示す文字列を印刷し、“付加日時情報”が記憶されている画像については、日時を示す文字列を印刷しない。これによって、擬似的な日時情報である、“付加日時情報”を、ユーザが実際の日時情報と間違えることを防いでいる。
【０１０９】
上記のように、実施例１は、それまで読み出した“標準日時情報”の中で最も新しい日時を保持し、これを基にした“付加日時情報”を、保存する画像データに付加する。そして、上記“標準日時情報”又は“付加日時情報”に基づいて、画像を表示又は印刷する。
【０１１０】
これによって、実時間管理情報を持たない画像情報処理装置において、保存した画像と、実時間管理機能を持つ外部装置が記憶した画像とを、表示又は印刷する際、実際の日時順に近似した最適な順で、表示又は印刷することができる。
【図面の簡単な説明】
【０１１１】
【図１】本発明の実施例１である画像処理装置１０の外形を示す図である。
【図２】実施例１の機能ブロックを示す図である。
【図３】操作部２２の液晶モニタ１１に表示されている画面の例を示す図である。
【図４】メモリカードを本装置に挿入した際の動作を示す図である。
【図５】スキャン画像保存機能の動作を示すフローチャートである。
【図６】本実施例において、付加日時情報の作成例を示す図である。
【図７】“付加日時情報”の具体的な記入例を示す図である。
【図８】“メモリカード印刷機能”の動作を示すフローチャートであり、上記付加日時情報を読み出し、画像データを良好な順で表示する動作を説明するフローチャートである。
【図９】画像選択画面５０を示す図である。
【図１０】図７に示す６つの画像を、画像処理装置１０で、日時順に並べた状態を示す図である。
【図１１】インデックス印刷の結果を示す図である。
【符号の説明】
【０１１２】
１０…画像処理装置、
１７…メモリカードコネクタ、
１９…メモリカード、
２１…制御部、
２８…不揮発性データ保持部、
３０…メニュー画面、
４２…ファイルの標準日時情報、
４３…付加日時情報、
５０…画像選択画面。
【図１】
0005203767.tif 000002
【図２】
0005203767.tif 000003
【図３】
0005203767.tif 000004
【図４】
0005203767.tif 000005
【図５】
0005203767.tif 000006
【図６】
0005203767.tif 000007
【図７】
0005203767.tif 000008
【図８】
0005203767.tif 000009
【図９】
0005203767.tif 000010
【図１０】
0005203767.tif 000011
【図１１】
0005203767.tif 000012